(57)【要約】【課題】家具本体に座った人又は横たわった人に向かって噴出面から噴出する空気の噴出量の変更の応答性を良くする。【解決手段】天蓋付き椅子１００は、人が座ることが可能な椅子本体１１０と、椅子本体１１０内に設けられ空気が供給される座部側チャンバー１３８、背もたれ側チャンバー１５８及び天蓋側チャンバー１７８と、椅子本体１１０に座った人に向かって座部側チャンバー１３８、背もたれ側チャンバー１５８及び天蓋側チャンバー１７８に供給された空気が噴出する座面１３９、背もたれ面１４９及び天蓋１７０の下面材１７２と、椅子本体１１０に座った人に向かわない方向に座部側チャンバー１３８、背もたれ側チャンバー１５８及び天蓋側チャンバー１７８に供給された空気を排出する開閉可能な座部側排出口１３６、背もたれ側排出口１５６及び天蓋側排出口１７６と、を備えている。【選択図】図２
2020028375.tif 000002
【特許請求の範囲】
【請求項１】
人が座ること又は横たわることが可能な家具本体と、
前記家具本体内に設けられ、空気が供給されるチャンバーと、
前記家具本体に座った人又は横たわった人に向かって、前記チャンバーに供給された空気が噴出する噴出面と、
前記家具本体に座った人又は横たわった人に向かわない方向に前記チャンバーに供給された空気を排出する開閉可能な排出口と、
を備えた家具。
【請求項２】
前記家具本体は、座部と背もたれ部とを有する椅子であり、
前記チャンバーは、前記座部内に設けられた座部側チャンバーと、前記背もたれ部内に設けられた背もたれ部側チャンバーと、を有し、
前記噴出面は、前記座部側チャンバーに供給された空気が噴出する座面と、前記背もたれ部側チャンバーに供給された空気が噴出する背もたれ面と、を有し、
前記排出口は、前記座部の前記座面でない面に設けられ前記座部側チャンバーに供給された空気を排出する開閉可能な座部側排出口と、前記背もたれ部の前記背もたれ面でない面に設けられ前記背もたれ側チャンバーに供給された空気を排出する開閉可能な背もたれ部側排出口と、を有する、
請求項１に記載の家具。
【請求項３】
前記排出口は、排出量を調整可能に開閉する、
請求項１又は請求項２に記載の家具。
【発明の詳細な説明】
【技術分野】
【０００１】
本発明は、家具に関する。
【背景技術】
【０００２】
特許文献１には、全面床吹出し空調の床上に配置され、着座部と背もたれ部とを備えた吹出し空調用椅子に関する技術が開示されている。この先行技術では、カバーの下端周縁部を床面に当接させることで、カバー内が閉空間となり、床面から吹き出された空調空気の一部がカバー内に取り込まれる。そして、カバーの内側に連通する空気流通部に導かれ、その空調空気を着座部と背もたれ部との少なくとも一方の多数の通気孔から外部へ向けて吹き出している。この通気孔からの吹き出しによって、着座者は個人的に気流感を得ることができる。
【０００３】
また、個人的な気流感が不要な場合には、例えば、カバーの下端周縁部を床面に対して当接させない状態にすることで、カバーと床面との間に開放部が形成されて床面からの空調空気が空気流通部に流入しなくなり、着座部や背もたれ部からの空調空気の吹き出しを止めることができる。
【先行技術文献】
【特許文献】
【０００４】
【特許文献１】特開２０１１−８５２９２号公報
【発明の概要】
【発明が解決しようとする課題】
【０００５】
人に向かって空気が噴出する噴出面の噴出量を変化させる場合、空気の供給量を機械制御又は電子制御で調整することが考えられる。しかし、この方法は、空気の供給量を変更する操作をしてから噴出量が変更されるまでにタイムラグがあり、応答性が良くない。
【０００６】
また、引用文献１のように空調空気の空気流通部への流入を止めると、噴出面からの空気の噴出が停止する。
【０００７】
本発明は上記事実に鑑み、家具本体に座った人又は横たわった人に向かって噴出面から噴出する空気の噴出量の変更の応答性を良くすることが目的である
【課題を解決するための手段】
【０００８】
第一態様の家具は、人が座ること又は横たわることが可能な家具本体と前記家具本体内に設けられ、空気が供給されるチャンバーと、前記家具本体に座った人又は横たわった人に向かって、前記チャンバーに供給された空気が噴出する噴出面と、前記家具本体に座った人又は横たわった人に向かわない方向に前記チャンバーに供給された空気を排出する開閉可能な排出口と、を備えている。
【０００９】
第一態様の家具では、チャンバー内の空気が噴出面から家具本体に座った人又は横たわった人に向かって噴出する。排出口を開くことで、チャンバー内の空気が噴出面に加え排出口からも噴出するので、噴出面から噴出する空気の噴出量が減少する。よって、排出口の開閉操作から空気の噴出量が変更されるまでのタイムラグが少なく、家具本体に座った人又は横たわった人に向かって噴出面から噴出する空気の噴出量の変更の応答性が良い。
【００１０】
第二態様の家具は、前記家具本体は、座部と背もたれ部とを有する椅子であり、前記チャンバーは、前記座部内に設けられた座部側チャンバーと、前記背もたれ部内に設けられた背もたれ部側チャンバーと、を有し、前記噴出面は、前記座部側チャンバーに供給された空気が噴出する座面と、前記背もたれ部側チャンバーに供給された空気が噴出する背もたれ面と、を有し、前記排出口は、前記座部の前記座面でない面に設けられ前記座部側チャンバーに供給された空気を排出する開閉可能な座部側排出口と、前記背もたれ部の前記背もたれ面でない面に設けられ前記背もたれ側チャンバーに供給された空気を排出する開閉可能な背もたれ部側排出口と、を有している。
【００１１】
第二態様の家具では、座部側チャンバー内の空気が椅子の座面から噴出し、背もたれ側チャンバー内の空気が椅子の背もたれ面から噴出する。そして、座部の座面でない面の座部側排出口を開くことで座面からの空気の噴出量が減少し、背もたれ部の背もたれ面でない面の背もたれ側排出口を開くことで背もたれ面からの空気の噴出量が減少する。
【００１２】
このように、座部側排出口及び背もたれ側排出口を開閉することで、椅子の座面及び背もたれ面から噴出する空気の噴出量を個別に容易に変更することができる。
【００１３】
第三態様の家具は、前記排出口は、排出量を調整可能に開閉する。
【００１４】
第三態様の家具では、排出口から排出される排出量を調整することで、噴出面から噴出する空気の噴出量を応答性良く容易に調整することができる。
【発明の効果】
【００１５】
本発明によれば、家具本体に座った人又は横たわった人に向かって噴出面から噴出する空気の噴出量の変更の応答性を良くすることができる。
【図面の簡単な説明】
【００１６】
【図１】第一実施形態の天蓋付き椅子の側面図である。
【図２】図１の天蓋付き椅子の前後方向に沿った断面図である。
【図３】送風機構のブロック図である。
【図４】図１の開閉機構における（Ａ）は開口部が全閉の状態の斜視図であり、（Ｂ）は開口部が半開の状態の斜視図であり、（Ｃ）は開口部が全開の状態の斜視図である。
【図５】図４とは別の開閉機構の（Ａ）は開口部が全閉の状態の斜視図であり、（Ｂ）は開口部が全開の状態の斜視図である。
【図６】第二実施形態のベッドを構成するベッド本体の前後方向に沿った断面図及び送風機構のブロック図である。
【発明を実施するための形態】
【００１７】
＜第一実施形態＞
本発明の第一実施形態の天蓋付き椅子について説明する。
【００１８】
［構造］
まず、本実施形態の天蓋付き椅子１００の構造について説明する。
【００１９】
図１及び図２に示すように、天蓋付き椅子１００は、人Ｐ（図１参照）が座ることができる椅子本体１１０と、送風機構２００（図３参照）と、を有している。なお、天蓋付き椅子１００（椅子本体１１０）において、座った状態の人Ｐの正面側を前後方向前側とし、背中側を前後方向後側とし、左右方向を幅方向とする。
【００２０】
椅子本体１１０は、天蓋１７０と、座部１２０と、座部１２０の後端部から上方に延びる背もたれ部１４０と、を有している。座部１２０は座部側クッション部１２２と座部側フレーム部１３０とで構成され、背もたれ部１４０は背もたれ側クッション部１４２と背もたれ側フレーム部１５０とで構成されている。座部側クッション部１２２は座部側フレーム部１３０の上面１３２に上に設けられ、背もたれ側クッション部１４２は背もたれ側フレーム部１５０の前面１５２の前に設けられている。
【００２１】
図２に示すように、座部側フレーム部１３０及び背もたれ側フレーム部１５０の内部は空洞になっており、送風機構２００（図３参照）の座部側チャンバー１３８及び背もたれ側チャンバー１５８として機能するように構成されている。
【００２２】
座部側フレーム部１３０（座部側チャンバー１３８）の上面１３２には座部側開口部１３３が形成され、背もたれ側フレーム部１５０（背もたれ側チャンバー１５８）の前面１５２には背もたれ側開口部１５３が形成されている。
【００２３】
座部側クッション部１２２及び背もたれ側クッション部１４２は、それぞれ樹脂バネ網状体１２４、１４４、化繊不織布１２６、１４６及び表面カバー１２８、１４８の順番で積層された構造となっている。表面カバー１２８の上面が座面１２９を構成し、表面カバー１４８の前面が背もたれ面１４９を構成する。また、座部側クッション部１２２及び背もたれ側クッション部１４２は通気性を有している。なお、座部側クッション部１２２及び背もたれ側クッション部１４２は、このような構成に限定されない。通気性を有していれば、どのような構造であってもよい。
【００２４】
図１及び図２に示すように、天蓋１７０は、椅子本体１１０の背もたれ部１４０の後方に設けられた天蓋フレーム１９０によって支持され、椅子本体１１０に座った人Ｐ（図１参照）の上方に位置するように構成されている。
【００２５】
図２に示すように、天蓋１７０の内部は空洞になっており、送風機構２００（図３参照）の天蓋側チャンバー１７８として機能するように構成されている。天蓋１７０（天蓋側チャンバー１７８）の下面材１７２は、通気性のある布材で構成されている。
【００２６】
座部側フレーム部１３０の座部側チャンバー１３８、背もたれ側フレーム部１５０の背もたれ側チャンバー１５８及び天蓋１７０の天蓋側チャンバー１７８には、図３に示すように、送風機構２００を構成するダクト２０３、２０５、２０７が接続されている。
【００２７】
送風機構２００は、送風装置２１０、ダクト２０３、２０５、２０７、座部側チャンバー１３８、背もたれ側チャンバー１５８及び天蓋側チャンバー１７８を有している。送風装置２１０から送風された空気は、ダクト２０３、２０５、２０７を通って座部側チャンバー１３８、背もたれ側チャンバー１５８及び天蓋側チャンバー１７８に送られる。
【００２８】
なお、送風装置２１０が送風する空気は、周囲の外気であってもよいし、図示していない空調器で温湿度が調整された冷風や温風等であってもよい。
【００２９】
図１に示すように、座部側フレーム部１３０（座部側チャンバー１３８）の幅方向外側の側面１３４には座部側排出口１３６が設けられ、背もたれ側フレーム部１５０（背もたれ側チャンバー１５８）の幅方向外側の側面１５４には背もたれ側排出口１５６が設けられ、天蓋１７０（天蓋側チャンバー１７８）の幅方向外側の側面１７４には天蓋側排出口１７６が設けられている。これら座部側排出口１３６、背もたれ側排出口１５６及び天蓋側排出口１７６には、それぞれ開閉機構３００が設けられている。
【００３０】
図４に示すように開閉機構３００は、フランジ部３０３を有する筒部３０２と、開口板３１０と、開口板３１０の裏側に回転可能に設けられた取手３２４を有する開閉板３２０と、を有している。開口板３１０には、扇形状が対向する蝶々形状の開口部３１２Ａ、３１２Ｂが形成されている。開閉板３２０は、扇形状部３２２Ａ、３２２Ｂ（図４（Ａ）及び図４（Ｂ）参照）が対向する蝶々形状となっている。
【００３１】
そして、取手３２４を持って開閉板３２０を回転させることで、開口板３１０の開口部３１２Ａ、３１２Ｂが開閉する。なお、開閉板３２０の回転量によって開口部３１２Ａ，３１２Ｂの開閉量（開閉面積）を調整することができる。なお、図４（Ａ）は開口部３１２Ａ、３１２Ｂが全閉の状態で、図４（Ｂ）は開口部３１２Ａ、３１２Ｂが半開の状態で、図４（Ｃ）は開口部３１２Ａ、３１２Ｂが全開の状態である。
【００３２】
［作用及び効果］
次に、本実施形態の作用及び効果について説明する。
【００３３】
図３に示す送風機構２００から送風された空気は、ダクト２０３、２０５、２０７を通って座部側チャンバー１３８、背もたれ側チャンバー１５８及び天蓋側チャンバー１７８に送られる。
【００３４】
図２に示すように、座部側クッション部１２２及び背もたれ側クッション部１４２は通気性を有している。よって、矢印Ｊで示すように、座部側チャンバー１３８及び背もたれ側チャンバー１５８に送られた空気は、上面１３２の座部側開口部１３３及び前面１５２の背もたれ側開口部１５３から座部側クッション部１２２及び背もたれ側クッション部１４２を通り、座面１２９及び背もたれ面１４９から人Ｐ（図１参照）に向かって噴出する。
【００３５】
また、天蓋１７０の下面材１７２は通気性を有している。よって、矢印Ｊで示すように、天蓋側チャンバー１７８に送られた空気は、下面材１７２から人Ｐ（図１参照）に向かって噴出する。
【００３６】
図１に示すように、座部側フレーム部１３０の側面１３４には座部側排出口１３６が設けられ、背もたれ側フレーム部１５０の側面１５４には背もたれ側排出口１５６が設けられ、天蓋１７０の側面１７４には天蓋側排出口１７６が設けられている。そして、これら座部側排出口１３６、背もたれ側排出口１５６及び天蓋側排出口１７６には、それぞれ開閉機構３００が設けられている。
【００３７】
開閉機構３００の開口部３１２Ａ、３１２Ｂが全閉の状態（図４（Ａ）参照）では、座部側排出口１３６、背もたれ側排出口１５６及び天蓋側排出口１７６からは空気は噴出しない。
【００３８】
しかし、開口部３１２Ａ、３１２Ｂが半開の状態（図４（Ｂ）参照）又は開口部３１２Ａ、３１２Ｂが全開の状態（図４（Ｃ）参照）の場合は、座面１２９、背もたれ面１４９及び天蓋１７０の下面材１７２に加え座部側排出口１３６、背もたれ側排出口１５６及び天蓋側排出口１７６からも空気が噴出する。よって、座面１２９、背もたれ面１４９及び天蓋１７０の下面材１７２から噴出する空気の噴出量がその分減少する。
【００３９】
このように、座部側排出口１３６、背もたれ側排出口１５６及び天蓋側排出口１７６の開閉機構３００を開閉することで、座面１２９、背もたれ面１４９及び天蓋１７０の下面材１７２から噴出する空気の噴出量を変更できる。よって、送風装置２１０の風量を変更する場合よりも開閉機構３００の操作から空気の噴出量が変更されるまでのタイムラグが少なく、座面１２９、背もたれ面１４９及び天蓋１７０の下面材１７２から噴出する空気の噴出量の変更の応答性が良い。
【００４０】
また、座部側排出口１３６、背もたれ側排出口１５６及び天蓋側排出口１７６の各開閉機構３００を開閉することで、座面１２９、背もたれ面１４９及び天蓋１７０の下面材１７２から噴出する空気の噴出量を個別に容易に変更することができる。
【００４１】
また、開閉機構３００は、開閉板３２０の回転量によって開口部３１２Ａ，３１２Ｂの開閉量（開閉面積）を調整することができる。つまり、開閉機構３００は排出量を調整することができる。よって、座部側排出口１３６、背もたれ側排出口１５６及び天蓋側排出口１７６の各開閉機構３００の開閉量（開閉面積、排出量）を調整することで、座面１２９、背もたれ面１４９及び天蓋１７０の下面材１７２から噴出する空気の噴出量を個別に容易に調整することができる。
【００４２】
更に、人Ｐ自らが噴出量を調整して好みの環境にすることができるので、自己効力感（満足感や達成感等）が得られる。
【００４３】
また、座部側フレーム部１３０の側面１３４に座部側排出口１３６が設けられ、背もたれ側フレーム部１５０の側面１５４に背もたれ側排出口１５６が設けられ、天蓋１７０の側面１７４に天蓋側排出口１７６が設けられている。よって、それぞれに設けられた開閉機構３００の開閉板３２０を座った状態の人Ｐの手が届きやすく、噴出量（開閉量）の調整操作を行い易い。
【００４４】
＜第二実施形態＞
次に、本発明の第二実施形態のベッドについて説明する。なお、第一実施形態と同一の部材には同一の符号を付し、重複する説明は省略する。
【００４５】
［構造］
まず、本実施形態のベッド５００の構造について説明する。
【００４６】
図６に示すように、ベッド５００は、人Ｐ（図１参照）が横たわるベッド本体５１０と、送風機構６００と、を有している。
【００４７】
ベッド本体５１０は、通気性を有するマットレス５２０と、マットレス５２０を上板部５３２で支持するフレーム部５３０と、を有している。
【００４８】
フレーム部５３０の内部は空洞になっており、送風機構６００のチャンバー５３８として機能するように構成されている。また、フレーム部５３０（チャンバー５３８）の上板部５３２には開口部５３３が形成されている。
【００４９】
フレーム部５３０のチャンバー５３８には、送風機構６００を構成するダクト６０２が接続されている。送風機構６００は、送風装置２１０、ダクト６０２及びチャンバー５３８を有している。送風装置２１０から送風された空気は、ダクト６０２を通ってチャンバー５３８に送られる。フレーム部５３０（座部側チャンバー１３８）の側面には排出口５３６が設けられ、排出口５３６には、開閉機構３００（図４参照）が設けられている。
【００５０】
［作用及び効果］
次に、本実施形態の作用及び効果について説明する。
【００５１】
図６に示すように、送風装置２１０から送風された空気は、ダクト６０２を通ってチャンバー５３８に送られる。マットレス５２０は通気性を有している。よって、矢印Ｊで示すように、チャンバー５３８に送られた空気は、上板部５３２の開口部５３３からマットレス５２０を通り、マットレス上面５２２から噴出する。
【００５２】
フレーム部５３０の側面には排出口５３６が設けられ、排出口５３６には、開閉機構３００（図４参照）が設けられている。
【００５３】
開閉機構３００の開口部３１２Ａ、３１２Ｂが全閉の状態（図４（Ａ）参照）では、排出口５３６からは空気は噴出しない。
【００５４】
しかし、開口部３１２Ａ、３１２Ｂが半開の状態（図４（Ｂ）参照）又は開口部３１２Ａ、３１２Ｂが全開の状態（図４（Ｃ）参照）の場合は、マットレス上面５２２に加え排出口５３６からも空気が噴出する。よって、マットレス上面５２２から噴出する空気の噴出量がその分減少する。
【００５５】
このように、ベッド本体５１０の排出口５３６の開閉機構３００を開閉することで、マットレス上面５２２から噴出する空気の噴出量を変更できる。よって、送風装置２１０の風量を変更する場合よりも開閉機構３００の操作から空気の噴出量が変更されるまでのタイムラグが少なく、マットレス上面５２２から噴出する空気の噴出量の変更の応答性が良い。
【００５６】
また、排出口５３６の開閉機構３００の開閉量（開閉面積、排出量）を調整することで、マットレス上面５２２から噴出する空気の噴出量を容易に調整することができる。
【００５７】
更に、人Ｐ自らが噴出量を調整して好みの環境にすることができるので、自己効力感（満足感や達成感等）が得られる。
【００５８】
＜その他＞
尚、本発明は上記実施形態に限定されない。
【００５９】
例えば、図４に示す開閉機構３００以外の開閉機構で排出量を変更してもよい。例えば、図５に示す開閉機構４００であってもよい。開閉機構４００は、開口部４０２を有し、蓋部４１０が面外方向に移動することで開口部４０２を開閉する。なお、図５（Ａ）は開閉機構４００の開口部４０２を蓋部４１０が閉鎖して状態であり、図５（Ｂ）は開閉機構４００の蓋部４１０が移動して開口部４０２を開いた状態である。
【００６０】
また、例えば、上記実施形態では、送風装置２１０からダクト２０３、２０５、２０７、６０２を介して座部側チャンバー１３８、背もたれ側チャンバー１５８、天蓋側チャンバー１７８及びチャンバー５３８に送られていたが、これに限定されない。例えば、送風装置２１０が、椅子本体１１０及びベッド本体５１０に設けられていてもよい。また、座部側チャンバー１３８、背もたれ側チャンバー１５８、天蓋側チャンバー１７８及びチャンバー５３８がそれぞれ送風装置２１０を有していてもよい。
【００６１】
また、例えば、上記第一実施形態の天蓋付き椅子１００では、座部１２０の座部側フレーム部１３０の幅方向外側の側面１３４に座部側排出口１３６が設けられ、背もたれ部１４０の背もたれ側フレーム部１５０の幅方向外側の側面１５４には背もたれ側排出口１５６が設けられていた。しかし、側面１３４、１５４以外の場所に座部側排出口１３６及び背もたれ側排出口１５６が設けられていてもよい。例えば、肘掛を設け、肘掛に座部側排出口１３６及び背もたれ側排出口１５６を設けてもよい。同様に、上記第二実施形態のベッド５００においても、フレーム部５３０の側面以外に排出口５３６が設けられていてもよい。要は、チャンバーに供給された空気を人Ｐに向かわない方向に排出する開閉可能な排出口であればよい。
【００６２】
また、上記実施形態では、座部側クッション部１２２及び背もたれ側クッション部１４２は、それぞれ樹脂バネ網状体１２４、１４４、化繊不織布１２６、１４６及び表面カバー１２８、１４８の順番で積層された構造となっているが、これに限定されない。座部側クッション部１２２と背もたれ側クッション部１４２とが一体となった構造であってもよい。つまり、クッション部全体がＬ字状（樹脂バネ網状体、化繊不織布及び表面カバーがそれぞれＬ字状）であってもよい。
【００６３】
また、例えば、上記第一実施形態の天蓋付き椅子１００では、座部側チャンバー１３８と背もたれ側チャンバー１５８とが別体であったが、これに限定されない。座部側チャンバー１３８と背もたれ側チャンバー１５８とが一体となっており、座部側排出口１３６又は背もたれ側排出口１５６を開閉すると、座面１２９及び背もたれ面１４９から噴出する空気の噴出量の両方が変更される構成であってもよい。
【００６４】
或いは、座部側チャンバー１３８及び背もたれ側チャンバー１５８は、それぞれ複数のチャンバーに分割された構成であってもよい。例えば、上部背もたれ側チャンバーと下部背もたれ側チャンバーとを有し、それぞれ個別の排出口を有する構成であってもよい。同様に上記第二実施形態のベッド５００のチャンバー５３８も頭側チャンバーと足側チャンバーとを有し、それぞれ個別の排出口を有する構成であってもよい。
【００６５】
また、上記実施形態では、家具本体は、椅子本体１１０又はベッド本体５１０であったが、これらに限定されない。なお、椅子本体の概念には、ソファーやベンチシート等が含まれる。
【００６６】
また、天蓋を有していない椅子又は天蓋付きのベッドにも本発明を適用することができる。
【００６７】
更に、本発明の要旨を逸脱しない範囲において種々なる態様で実施し得る。
【符号の説明】
【００６８】
１００      椅子（家具の一例）
１１０      椅子本体（家具本体の一例）
１２０      座部
１２９      座面（噴出面の一例）
１３６      座部側排出口（排出口の一例）
１３８      座部側チャンバー（チャンバーの一例）
１４０      背もたれ部
１４９      背もたれ面（噴出面の一例）
１５６      背もたれ側排出口（排出口の一例）
１５８      背もたれ側チャンバー（チャンバーの一例）
１７２      下面材（噴出面の一例）
１７６      天蓋側排出口（排出口の一例）
１７８      天蓋側チャンバー（チャンバーの一例）
５００      ベッド（家具の一例）
５１０      ベッド本体（家具本体の一例）
５２２      マットレス上面（噴出面の一例）
５３６      排出口
５３８      チャンバー
Ｐ      人
【図１】
2020028375.tif 000003
【図２】
2020028375.tif 000004
【図３】
2020028375.tif 000005
【図４】
2020028375.tif 000006
【図５】
2020028375.tif 000007
【図６】
2020028375.tif 000008